(57)【要約】【課題】剥がし用テープにおいて、両面テープが基材から剥がれるのを抑えつつ、簡単な構造で、剥離ライナーを両面テープから剥がす技術を提供する。【解決手段】ライナーテープ１９を、両面テープ９から剥がすためのピッキングテープ１である。ＰＦテープ３と、ＰＦテープ３の長手方向の一部を覆うように、粘着面がＰＦテープ３の粘着面に重ね合わされるとともに、非粘着面が両面テープ９の表面から容易に剥離可能なＴＦテープ５とを備えている。ＰＦテープ３の一方端は、ＴＦテープ５の一方端よりも外側に突出しており、ＴＦテープ５の一方側端部５ｂにおける粘着面側には、ＰＦテープ３とＴＦテープ５とを容易に剥離させることが可能な剥離部５ａが形成されている。ライナーテープ１９の端部１９ｂが、ＴＦテープ５の一方側端部５ｂとＰＦテープ３との間に挟まれるように、ＰＦテープ３がライナーテープ１９の表面に貼り付けられる。【選択図】図３
2012136591.tif 000002
【特許請求の範囲】
【請求項１】
基材(29)に貼り付けられた両面テープ(9)の表面に貼り付けられている剥離ライナー(19)を、当該両面テープ(9)から剥がすための剥がし用テープ(1,11)であって、
粘着面側に、上記両面テープ(9)よりも、上記剥離ライナー(19)との粘着性に優れた粘着剤(23,53)が塗布された略帯状の第１テープ(3,33)と、
上記第１テープ(3,33)の長手方向の一部を覆うように、粘着面が当該第１テープ(3,33)の粘着面に重ね合わされるとともに、非粘着面が上記両面テープ(9)の表面から容易に剥離可能な、略帯状の第２テープ(5)と、を備え、
少なくとも上記第１テープ(3,33)の長手方向一方端は、上記第２テープ(5)の長手方向一方端よりも長手方向一方側に突出しており、
上記第２テープ(5)の長手方向一方側の端部(5b)における粘着面側、又は、上記第１テープ(3,33)の、当該第２テープ(5)の一方側の端部(5b)に対応する部位における粘着面側には、当該第１テープ(3,33)と当該第２テープ(5)とを容易に剥離させることが可能な剥離部(5a)が形成されており、
上記剥離ライナー(19)の端部を、上記第２テープ(5)の長手方向一方側の端部(5b)と上記第１テープ(3,33)との間に挟むように、当該第１テープ(3,33)の長手方向一方側の端部(3b,33b)が上記剥離ライナー(19)の表面に貼り付けられることを特徴とする剥がし用テープ。
【請求項２】
請求項１記載の剥がし用テープにおいて、
上記剥離部(5a)は、上記第２テープ(5)の長手方向一方側の端部(5b)における粘着面側に形成されていて、上記第１テープ(3,33)よりも曲がり難くなっており、
上記第１テープ(3,33)における上記剥離部(5a)に対応する剥離部対応部(3a,33a)を反らせると、当該剥離部(5a)が当該剥離部対応部(3a,33a)から離れる一方、当該剥離部対応部(3a,33a)を略真っ直ぐに延ばすと、当該剥離部(5a)と当該剥離部対応部(3a,33a)とが近づくように構成されていることを特徴とする剥がし用テープ。
【請求項３】
請求項１又は２記載の剥がし用テープにおいて、
上記第１テープ(3)の長手方向他方端と、上記第２テープ(5)の長手方向他方端とが略一致していることを特徴とする剥がし用テープ。
【請求項４】
請求項１又は２記載の剥がし用テープにおいて、
上記第１テープ(33)の長手方向他方端は、上記第２テープ(5)の長手方向他方端よりも長手方向他方側に突出していることを特徴とする剥がし用テープ。
【請求項５】
請求項１〜４のいずれか１つに記載の剥がし用テープにおいて、
上記剥離部(5a)は、上記第１テープ(3,33)の粘着面から容易に剥離可能な部材(7)を、上記第２テープ(5)の長手方向一方側の端部(5b)における粘着面に貼り付けることにより、形成されていることを特徴とする剥がし用テープ。
【請求項６】
請求項１〜４のいずれか１つに記載の剥がし用テープにおいて、
上記剥離部(5a)は、上記第２テープ(5)の長手方向一方側の端部(5b)を折り曲げて、当該第２テープ(5)の粘着面同士を貼り付けることにより形成されていることを特徴とする剥がし用テープ。
【請求項７】
請求項１〜４のいずれか１つに記載の剥がし用テープにおいて、
上記剥離部(5a)は、上記第２テープ(5)の長手方向一方側の端部(5b)における粘着面側に、粘着剤(25)を塗布しない部位を設けることにより形成されていることを特徴とする剥がし用テープ。
【請求項８】
請求項１〜７のいずれか１つに記載の剥がし用テープにおいて、
上記第１テープ(3,33)は透明又は半透明に形成されている一方、上記剥離部(5a)は当該第１テープ(3,33)の色とは異なる色に形成されていることを特徴とする剥がし用テープ。
【請求項９】
基材(29)に貼り付けられた両面テープ(9)の表面に貼り付けられている剥離ライナー(19)を、当該両面テープ(9)から剥がすための剥がし用テープ(1,11)の貼付方法であって、
上記両面テープ(9)よりも、上記剥離ライナー(19)との粘着性に優れた粘着剤(23,53)が塗布された帯状の第１テープ(3,33)と、当該第１テープ(3,33)の長手方向の一部を覆うように、粘着面が当該第１テープ(3,33)の粘着面に重ね合わされるとともに、非粘着面が上記両面テープ(9)の表面から容易に剥離可能な、帯状の第２テープ(5)と、を備え、少なくとも当該第１テープ(3,33)の長手方向一方端が、当該第２テープ(5)の長手方向一方端よりも長手方向一方側に突出し、且つ、当該第２テープ(5)の長手方向一方側の端部(5b)における粘着面側に、当該第１テープ(3,33)から容易に剥離可能な剥離部(5a)が形成された剥がし用テープ(1,11)を用意し、
上記第２テープ(5)の一方側の端部(5b)が上記剥離ライナー(19)の他方側の端部(19b)に重なるように、当該剥離ライナー(19)の表面に上記第１テープ(3,33)の一方側の端部(3b,33b)を貼り付ける工程と、
上記第１テープ(3,33)における上記剥離部(5a)に対応する剥離部対応部(3a,33a)を反らせるように、上記剥がし用テープ(1,11)の他方側の端部(1a,11a)を持ち上げて、当該第１テープ(3)から上記剥離部(5a)を剥離させる工程と、
上記剥がし用テープ(1,11)の他方側の端部(1a,11a)を下ろして、上記剥離部対応部(3a)を上記剥離ライナー(19)の表面に貼り付ける工程と、
上記剥離部対応部(3a,33a)を略真っ直ぐに延ばすように、上記剥がし用テープ(1,11)の他方側の端部(1a,11a)を持ち上げて、剥離ライナー(19)の他方側の端部(19b)を上記両面テープ(9)から剥がすとともに、当該剥離ライナー(19)の端部(19b)を当該第２テープ(5)の長手方向一方側の端部(5b)と当該第１テープ(3,33)との間に挟む工程と、を含むことを特徴とする剥がし用テープの貼付方法。
【発明の詳細な説明】
【技術分野】
【０００１】
本発明は、両面テープの表面に貼り付けられている剥離ライナーを、当該両面テープから剥がすための剥がし用テープ及びその貼付方法に関するものである。
【背景技術】
【０００２】
従来から、例えばドアガーニッシュやプロテクターといった外装部品（基材）を、両面テープを用いて、車両のドア本体等に取り付けることが知られている。そうして、これらの基材を車体に取り付ける場合には、基材に予め両面テープを貼り付けておき、かかる基材を取り付ける際に、両面テープの表面に貼り付けられている剥離ライナー（剥離紙、離型紙ともいう）を、作業者が直接手で剥がすことが多い。
【０００３】
しかしながら、両面テープの表面から、手で剥離ライナーを剥がすのは容易ではないことから、剥離ライナーを剥がすことに時間がとられて、基材の装着作業の作業効率が悪くなるという問題がある。
【０００４】
このような問題を解決するために、例えば特許文献１の図２に示されるように、剥がし用テープを剥離紙（剥離ライナー）の表面に貼り付けておき、かかる剥がし用テープを摘んで剥離紙を両面テープの表面から剥がすことが考えられる。そうして、特許文献１では、両面テープを本来の装着面のみならず別途設けた保持接着面にも貼着して、両面テープとモール（基材）との接着面積を増大させることにより、剥がし用テープを摘んで剥離紙を剥がしても、両面テープ自体が剥離ライナーとともに剥がれることを防止できるとされている。
【先行技術文献】
【特許文献】
【０００５】
【特許文献１】特許第２９８９１１１号公報
【発明の概要】
【発明が解決しようとする課題】
【０００６】
ところで、剥がし用テープを用いて、剥離ライナーを両面テープの表面から剥がす場合には、以下のような問題がある。
【０００７】
すなわち、上記特許文献１の図４及び図８に示されるように、剥離ライナー（剥離紙）を剥がす方向（剥離ライナーの長手方向）に対して直角に剥がし用テープを貼り付けると、剥離ライナーを剥がそうとする力が両面テープの側縁に集中して、両面テープ自体が基材から剥がれ易くなるおそれがある。
【０００８】
一方、ロール状の両面テープをカットして基材に貼り付ける場合、図１３（ａ）に示すように、剥離ライナー１１９の両端から、両面テープ１０９の粘着面がはみ出ることがある。このように、両面テープ１０９の粘着面が剥離ライナー１１９よりもはみ出した状態で、上記特許文献１の図２に示されるように、剥がし用テープ１０１を剥離ライナー１１９の端部１１９ｂに貼り付けると、図１３（ｂ）に示すように、Ａ部において、剥がし用テープ１０１の粘着面と、両面テープ１０９の粘着面とが接触するおそれがある。そうして、ある程度の時間が経つと、剥がし用テープ１０１の粘着面と両面テープ１０９の粘着面とが強く接着されることから、基材を取り付ける際に、剥がし用テープ１０１を摘んで剥離ライナー１１９を剥がそうとすると、両面テープ１０９自体が基材から剥がれるという問題がある。
【０００９】
本発明は、かかる点に鑑みてなされたものであり、その目的とするところは、剥がし用テープにおいて、両面テープが基材から剥がれるのを抑えつつ、簡単な構造で、剥離ライナーを両面テープから剥がす技術を提供することにある。
【課題を解決するための手段】
【００１０】
第１の発明は、基材に貼り付けられた両面テープの表面に貼り付けられている剥離ライナーを、当該両面テープから剥がすための剥がし用テープであって、粘着面側に、上記両面テープよりも、上記剥離ライナーとの粘着性に優れた粘着剤が塗布された略帯状の第１テープと、上記第１テープの長手方向の一部を覆うように、粘着面が当該第１テープの粘着面に重ね合わされるとともに、非粘着面が上記両面テープの表面から容易に剥離可能な、略帯状の第２テープと、を備え、少なくとも上記第１テープの長手方向一方端は、上記第２テープの長手方向一方端よりも長手方向一方側に突出しており、上記第２テープの長手方向一方側の端部における粘着面側、又は、上記第１テープの、当該第２テープの一方側の端部に対応する部位における粘着面側には、当該第１テープと当該第２テープとを容易に剥離させることが可能な剥離部が形成されており、上記剥離ライナーの端部を、上記第２テープの長手方向一方側の端部と上記第１テープとの間に挟むように、当該第１テープの長手方向一方側の端部が上記剥離ライナーの表面に貼り付けられることを特徴とするものである。
【００１１】
第２の発明は、上記第１の発明において、上記剥離部は、上記第２テープの長手方向一方側の端部における粘着面側に形成されていて、上記第１テープよりも曲がり難くなっており、上記第１テープにおける上記剥離部に対応する剥離部対応部を反らせると、当該剥離部が当該剥離部対応部から離れる一方、当該剥離部対応部を略真っ直ぐに延ばすと、当該剥離部と当該剥離部対応部とが近づくように構成されていることを特徴とするものである。
【００１２】
第３の発明は、上記第１又は２の発明において、上記第１テープの長手方向他方端と、上記第２テープの長手方向他方端とが略一致していることを特徴とするものである。
【００１３】
第４の発明は、上記第１又は２の発明において、上記第１テープの長手方向他方端は、上記第２テープの長手方向他方端よりも長手方向他方側に突出していることを特徴とするものである。
【００１４】
第５の発明は、上記第１〜第４のいずれか１つの発明において、上記剥離部は、上記第１テープの粘着面から容易に剥離可能な部材を、上記第２テープの長手方向一方側の端部における粘着面に貼り付けることにより、形成されていることを特徴とするものである。
【００１５】
第６の発明は、上記第１〜第４のいずれか１つの発明において、上記剥離部は、上記第２テープの長手方向一方側の端部を折り曲げて、当該第２テープの粘着面同士を貼り付けることにより形成されていることを特徴とするものである。
【００１６】
第７の発明は、上記第１〜第４のいずれか１つの発明において、上記剥離部は、上記第２テープの長手方向一方側の端部における粘着面側に、粘着剤を塗布しない部位を設けることにより形成されていることを特徴とするものである。
【００１７】
第８の発明は、上記第１〜第７のいずれか１つの発明において、上記第１テープは透明又は半透明に形成されている一方、上記剥離部は当該第１テープの色とは異なる色に形成されていることを特徴とするものである。
【００１８】
第９の発明は、基材に貼り付けられた両面テープの表面に貼り付けられている剥離ライナーを、当該両面テープから剥がすための剥がし用テープの貼付方法であって、上記両面テープよりも、上記剥離ライナーとの粘着性に優れた粘着剤が塗布された帯状の第１テープと、当該第１テープの長手方向の一部を覆うように、粘着面が当該第１テープの粘着面に重ね合わされるとともに、非粘着面が上記両面テープの表面から容易に剥離可能な、帯状の第２テープと、を備え、少なくとも当該第１テープの長手方向一方端が、当該第２テープの長手方向一方端よりも長手方向一方側に突出し、且つ、当該第２テープの長手方向一方側の端部における粘着面側に、当該第１テープから容易に剥離可能な剥離部が形成された剥がし用テープを用意し、上記第２テープの一方側の端部が上記剥離ライナーの他方側の端部に重なるように、当該剥離ライナーの表面に上記第１テープの一方側の端部を貼り付ける工程と、上記第１テープにおける上記剥離部に対応する剥離部対応部を反らせるように、上記剥がし用テープの他方側の端部を持ち上げて、当該第１テープから上記剥離部を剥離させる工程と、上記剥がし用テープの他方側の端部を下ろして、上記剥離部対応部を上記剥離ライナーの表面に貼り付ける工程と、上記剥離部対応部を略真っ直ぐに延ばすように、上記剥がし用テープの他方側の端部を持ち上げて、剥離ライナーの他方側の端部を上記両面テープから剥がすとともに、当該剥離ライナーの端部を当該第２テープの長手方向一方側の端部と当該第１テープとの間に挟む工程と、を含むことを特徴とするものである。
【発明の効果】
【００１９】
第１の発明によれば、剥がし用テープは、第１及び第２テープが重ね合わされて一体となっていることから扱い易い構造となっている。また、第２テープの長手方向一方側の端部における粘着面、又は、第１テープの、当該第２テープの一方側の端部に対応する部位における粘着面には、剥離部が形成されていることから、剥離ライナーの端部を、第２テープの長手方向一方側の端部と第１テープとの間に簡単に挟むことができる。
【００２０】
さらに、第１テープの粘着面側の長手方向一方端は、第２テープの長手方向一方端よりも長手方向一方側に突出していることから、剥がし用テープを剥離ライナーの表面に簡単に貼り付けることができる。加えて、剥離ライナーの端部を、第２テープの長手方向一方側の端部と第１テープとの間に挟むと、剥離部が形成されていない第１又は第２テープの粘着面が当該ライナーの端部に必然的に張り付くことになる。
【００２１】
このように、剥がし用テープは、剥離ライナーの端部を、第２テープの長手方向一方側の端部と第１テープとの間に挟んだ状態で（換言すると、第１テープの粘着面を覆う第２テープを、剥離ライナーと両面テープとの間に挟んだ状態で）、剥離ライナーに貼り付けられることから、第１テープの粘着面と両面テープの粘着面とが接触するのを確実に抑えることができる。
【００２２】
そうして、剥がし用テープの他方側の端部を持ち上げると、両面テープよりも剥離ライナーとの粘着性に優れた粘着剤が第１テープに塗布されていることと、第２テープの非粘着面が両面テープの表面から容易に剥離可能であることとが相俟って、剥離ライナーを両面テープの表面から容易に剥がすことができる。
【００２３】
以上より、両面テープを基材から剥がすことなく、簡単な構造で、剥離ライナーを両面テープから剥がすことが可能となる。
【００２４】
第２の発明によれば、剥がし用テープを剥離ライナーに貼り付ける際、例えば、第２テープの一方側の端部が剥離ライナーの他方側の端部の上に重なるように、剥離ライナーの表面に第１テープの一方側の端部を貼り付け、その状態から、剥離部対応部を反らせるように、剥がし用テープの他方側の端部を持ち上げれば、第１テープから剥離部を容易に剥離させることができる。
【００２５】
そうして、剥離部対応部を剥離ライナーの表面に貼り付けた後、今度は、剥離部対応部を略真っ直ぐに延ばすように、剥がし用テープの他方側の端部を持ち上げれば、剥離ライナーの他方側の端部を両面テープから剥がすとともに、これを剥離部と剥離部対応部との間に挟むことが可能となる。
【００２６】
以上により、剥離ライナーの端部を、第２テープの長手方向一方側の端部と第１テープとの間に簡単に挟むことができる。
【００２７】
第３の発明によれば、作業者が剥がし用テープの長手方向他方側の端部を掴んでも、第１及び第２テープが作業者の手に貼り付くことがないので、剥離ライナーを両面テープの表面から剥がす際の作業性が向上する。
【００２８】
第４の発明によれば、例えば複数の両面テープが互いに離間して略直線状に基材に貼り付けられているような場合、相隣接する一方の両面テープにおける剥離ライナーの他方側の端部に、第１テープの長手方向一方側の端部を貼り付けるとともに、相隣接する他方の両面テープにおける剥離ライナーの一方側の端部に、第１テープの長手方向他方側の端部を貼り付けることが可能となる。これにより、他方の両面テープの剥離ライナーを、他方側から一方側に向けて剥がせば、一方の両面テープの剥離ライナーも剥がすことができる。したがって、複数の両面テープから剥離ライナーを一気に剥がすことが可能となるので、作業効率を大幅に向上させることができる。
【００２９】
第５の発明によれば、例えば離型紙などの、第１テープの粘着面から容易に剥離可能な部材を用いることにより、剥離部を簡単に形成することができる。特に、第２の発明では、第２テープとして第１テープと厚さや材質等が異なるものを用いることなく、剥離部を簡単に第１テープよりも曲がり難くすることができる。
【００３０】
第６の発明によれば、第２テープを折り曲げて、その粘着面同士を貼り付けるだけで、剥離部を容易に形成することができる。特に、第２の発明では、第２テープとして第１テープと厚さや材質等が異なるものを用いることなく、剥離部を厚くして容易に第１テープよりも曲がり難くすることができる。
【００３１】
第７の発明によれば、例えば離型紙を用いたり、第２テープを折り曲げたりする必要がないので、剥がし用テープをより一層簡単に製造することができる。
【００３２】
第８の発明によれば、剥がし用テープを剥離ライナーに貼り付ける際、作業者に対して常に手前側となる第１テープを透明又は半透明とするとともに、剥離部を第１テープの色とは異なる色にすることにより、剥離部の位置を容易に認識することができる。したがって、剥がし用テープを剥離ライナーに貼り付ける際の作業性が向上する。
【００３３】
第９の発明によれば、剥離ライナーを両面テープの表面から手で剥がすという煩雑な作業を行うことなく、剥離ライナーの表面に第１テープの一方側の端部を貼り付けた状態から、剥がし用テープの他方側の端部を一旦持ち上げて（剥離部を剥離部対応部から剥離させ）、下ろし（剥離部対応部を剥離ライナーに貼り付け）、再び持ち上げる（剥離ライナーを剥離部と剥離部対応部とで挟む）という簡単な作業で、剥がし用テープを剥離ライナーの端部に取り付けることができる。したがって、剥がし用テープを剥離ライナーに貼り付ける際の作業性をより一層向上させることができる。
【図面の簡単な説明】
【００３４】
【図１】実施形態１に係るピッキングテープが取り付けられたドアガーニッシュを模式的に示す図である。
【図２】ピッキングテープを模式的に示す図であり、同図（ａ）は斜視図であり、同図（ｂ）は側面図であり、同図（ｃ）は分解斜視図である。
【図３】同図（ａ）は、ピッキングテープをライナーテープの端部に貼り付けた状態を模式的に示す図であり、同図（ｂ）は、ライナーテープを両面テープから剥がす様子を模式的に説明する図である。
【図４】同図（ａ）は、ピッキングテープをライナーテープの端部に貼り付けた状態を模式的に示す図であり、同図（ｂ）は、剥離部を剥離部対応部から剥離させた状態を模式的に示す図である。
【図５】ピッキングテープの製造方法を模式的に説明する図であり、同図（ａ）はピッキングフィルムテープを台紙に貼り付けた状態を示す斜視図であり、同図（ｂ）はピッキングフィルムテープとタッキングフィルムテープとを重ね合わせる様子を説明する斜視図であり、同図（ｃ）はピッキングテープを切断した状態を示す図である。
【図６】ピッキングテープの貼付方法を段階的に説明する図である。
【図７】ピッキングテープの貼付方法を段階的に説明する図である。
【図８】ピッキングテープの貼付方法を段階的に説明する図である。
【図９】変形例１に係るピッキングテープを模式的に示す図であり、同図（ａ）は斜視図であり、同図（ｂ）は側面図であり、同図（ｃ）は分解斜視図である。
【図１０】変形例２に係るピッキングテープを模式的に示す図であり、同図（ａ）は斜視図であり、同図（ｂ）は側面図であり、同図（ｃ）は分解斜視図である。
【図１１】ジョイントテープを模式的に示す図であり、同図（ａ）は斜視図であり、同図（ｂ）は側面図であり、同図（ｃ）は分解斜視図である。
【図１２】同図（ａ）は、ジョイントテープをライナーテープに貼り付けた状態を模式的に示す図であり、同図（ｂ）は、ライナーテープを両面テープから剥がす様子を模式的に説明する図である。
【図１３】同図（ａ）は、粘着面が剥離ライナーの両端からはみ出している両面テープを模式的に示す斜視図であり、同図（ｂ）は、剥離ライナーの端部に従来の剥がし用テープを貼り付けた状態を示す図である。
【発明を実施するための形態】
【００３５】
以下、本発明の実施形態を図面に基づいて詳細に説明する。なお、図１〜図１２では、図を見易くするために、フィルムや粘着剤層等の厚さを誇張して示している。さらに、フィルム等については、識別し易くするために、断面ではなくても側面にハッチングを施している。また、以下の説明では、長手方向一方側の端部を単に「一方側端部」と、長手方向他方側の端部を単に「他方側端部」という。
【００３６】
（実施形態１）
図１は、本施形態に係るピッキングテープが取り付けられたドアガーニッシュを示す図である。このドアガーニッシュ（基材）２９は、長手方向に延びる壁部２９ａの段落ち部２９ｂに貼り付けられた長尺の両面テープ９と、３本ずつ互いに離間して略直線状に貼り付けられている６本の短尺の両面テープ９とによって、不図示の車両のドア本体に取り付けるられる。なお、両面テープ９は、アクリルフォームの両面に粘着剤を塗布したものを用いている。
【００３７】
このドアガーニッシュ２９は、これらの両面テープ９が予め貼り付けられた状態で出荷されるところ、両面テープ９の粘着性が低下したり、意図しないものに貼り付いたりするのを抑えるべく、各両面テープ９の表面（粘着面）には、ポリエチレンフィルムを用いたライナーテープ（剥離ライナー）１９が貼り付けられている。
【００３８】
ライナーテープ１９に貼り付けられているピッキングテープ（剥がし用テープ）１は、ライナーテープ１９を両面テープ９から剥がすために用いるものである。なお、図１中の符号１１は、後述するジョイントテープを示している。また、図１では、図を見易くするために、粘着剤層及び後述する離型紙７を図示省略している。
【００３９】
ピッキングテープ１は、図２に示すように、ピッキングフィルムテープ（以下、ＰＦテープという）３と、タッキングフィルムテープ（以下、ＴＦテープという）５と、離型紙（剥離可能な部材）７とを備えている。
【００４０】
ＰＦテープ（第１テープ）３は、透明又は半透明な略帯状のポリエチレンフィルム１３と、これに塗布されたポリエチレン系粘着剤２３からなっている。このように、ＰＦテープ３の粘着面は、ポリエチレン系粘着剤層２３で構成されているので、同じポリエチレン製のライナーテープ１９と馴染み易くなっており、両面テープ９よりも、ライナーテープ１９との粘着性に優れている。
【００４１】
ＴＦテープ（第２テープ）５は、ポリエチレンフィルム１３と同じ透明又は半透明な略帯状のポリエチレンフィルム１５と、これに塗布されたポリエチレン系粘着剤２５からなっている。このＴＦテープ５は、ＰＦテープ３の長手方向の一部を覆うように、具体的には、ＰＦテープ３の長手方向他方端と、ＴＦテープ５の長手方向他方端とが略一致し、且つ、ＰＦテープ３の長手方向一方端が、ＴＦテープ５の長手方向一方端よりも長手方向一方側に突出するように、その粘着面がＰＦテープ３の粘着面に重ね合わされている。
【００４２】
このように、ピッキングテープ１は、ＰＦテープ３及びＴＦテープ５が重ね合わされて一体となっていることから扱い易い構造となっている。また、ピッキングテープ１の他方側端部１ａでは、ＰＦテープ３及びＴＦテープ５が互いに相手方の粘着面を覆っていることから、作業者がピッキングテープ１の他方側端部１ａを掴んでも、ＰＦテープ３及びＴＦテープ５が作業者の手に貼り付くことがない。さらに、ＰＦテープ３の粘着面側の長手方向一方端は、ＴＦテープ５の長手方向一方端よりも長手方向一方側に突出していることから、ピッキングテープ１をライナーテープ１９の表面に簡単に貼り付けることができる。なお、ＴＦテープ５は、ライナーテープ１９と同様にポリエチレン製なので、その非粘着面が両面テープ９の粘着面から容易に剥離可能となっている。
【００４３】
このＴＦテープ５の一方側端部５ｂにおける粘着面側には、ＰＦテープ３と当該ＴＦテープ５とを容易に剥離させることが可能な剥離部５ａが形成されている。具体的には、ＰＦテープ３の粘着面から容易に剥離可能な離型紙７を、ＴＦテープ５の一方側端部５ｂに貼り付けることにより、剥離部５ａが形成されている。なお、離型紙７は、透明又は半透明に形成されたＰＦテープ３の色とは異なる色のものを用いていることから、ＰＦテープ３側からでも、剥離部５ａの位置を容易に認識することができる。
【００４４】
このように、ＴＦテープ５の一方側端部５ｂには剥離部５ａが形成されていることから、図３（ａ）に示すように、ライナーテープ１９の他方側端部１９ｂを、ＴＦテープ５の一方側端部５ｂとＰＦテープ３との間に簡単に挟むことができる。そうして、ライナーテープ１９の他方側端部１９ｂを、ＴＦテープ５の一方側端部５ｂとＰＦテープ３との間に挟むように、ＰＦテープ３の一方側端部３ｂをライナーテープ１９の表面に貼り付けると、ＰＦテープ３における剥離部５ａに対応する剥離部対応部３ａが、当該ライナーテープ１９の他方側端部１９ｂに必然的に張り付くことになる（図３（ａ）のＡ部参照）。
【００４５】
加えて、ライナーテープ１９の他方側端部１９ｂをＴＦテープ５とＰＦテープ３との間に挟めば、両面テープ９の粘着面から容易に剥離可能なＴＦテープ５の非粘着面が、両面テープ９の粘着面と接触することから、ＰＦテープ３の粘着面と両面テープ９の粘着面との接触が抑えられる（図３（ａ）のＢ部参照）。
【００４６】
したがって、ピッキングテープ１の他方側端部１ａを掴んで、図３（ｂ）に示すように、これを長手方向他方側から一方側に向かって（白抜き矢印の方向に）起こすように引っ張れば、両面テープ９をドアガーニッシュ２９から剥がすことなく、ライナーテープ１９を両面テープ９の表面から容易に剥がすことができる。
【００４７】
ここで、剥離部５ａは、離型紙７をＴＦテープ５に貼り付けることで形成されていることから、ＴＦテープ５と同じ材質のＰＦテープ３よりも曲がり難くなっている。このため、ピッキングテープ１は、剥離部対応部３ａを反らせると、剥離部５ａが剥離部対応部３ａから離れる一方、剥離部対応部３ａを略真っ直ぐに延ばすと、剥離部５ａと剥離部対応部３ａとが近づくようになっている。
【００４８】
これにより、ライナーテープ１９の他方側端部１９ｂを両面テープ９から作業者が手で剥がして、これを剥離部５ａと剥離部対応部３ａとで挟むという方法によらずとも、例えば、図４（ａ）に示すように、ＴＦテープ５の一方側端部５ｂをライナーテープ１９の他方側端部１９ｂに重ね、この状態から図４（ｂ）に示すように、剥離部対応部３ａを反らせることによりＰＦテープ３から剥離部５ａを剥離させて、ライナーテープ１９の他方側端部１９ｂを剥離部５ａと剥離部対応部３ａとで挟むという方法をとることが可能となる。なお、図４では、図を見易くするために、粘着剤層を図示省略している。
【００４９】
次に、ピッキングテープ１の製造方法の一例を、図５を用いて説明する。なお、図５では、図を見易くするために、粘着剤層を図示省略している。
【００５０】
先ず、図５（ａ）に示すように、ポリエチレン系粘着剤２３と容易に剥離可能な台紙３９に、幅広のＰＦテープ３を貼り付ける。
【００５１】
次いで、図５（ｂ）に示すように、ＰＦテープ３の端部を台紙３９から剥がして、その粘着面を半分以上露出させる。そうして、粘着面の略半分を覆うように幅広の離型紙７が貼り付けられたＴＦテープ５の粘着面を、ＰＦテープ３の露出した粘着面に貼り付ける。
【００５２】
次いで、ＴＦテープ５及び離型紙７がＰＦテープ３と台紙３９との間に挟まれるように、ＰＦテープ３の姿勢を図５（ａ）と同じ状態に戻した後、図５（ｃ）に示すように、ＰＦテープ３、ＴＦテープ５及び離型紙７を両面テープ９と略同じ幅に切断する。このように、簡単な方法でピッキングテープ１を製造することができる。
【００５３】
−貼付方法−
次に、ライナーテープ１９へのピッキングテープ１の貼付方法の一例を、図６〜図８を用いて説明する。
【００５４】
先ず、図６（ａ）に示すように、ＴＦテープ５の一方側端部５ｂがライナーテープ１９の他方側端部１９ｂに重なるように、換言すると、平面視で剥離部５ａがライナーテープ１９の他方側端部１９ｂに重なるように、ライナーテープ１９の表面にＰＦテープ３の一方側端部３ｂを貼り付ける。このとき、ライナーテープ１９の長手直角方向の端にピッキングテープ１を貼り付けると、ライナーテープ１９を剥がそうとする力が両面テープ９の側縁に集中して、両面テープ９がドアガーニッシュ２９から剥がれ易くなるおそれがある。このため、ピッキングテープ１は、図４（ａ）に示すように、ライナーテープ１９の長手直角方向の中央に配置するのが望ましい。
【００５５】
次いで、図６（ｂ）に示すように、ピッキングテープ１の他方側端部１ａを白抜き矢印の方向に持ち上げて、ＴＦテープ５をライナーテープ１９の表面から捲り上げる。そうして、図６（ｃ）に示す如く、剥離部対応部３ａを反らせるように、ピッキングテープ１の他方側端部１ａを白抜き矢印の方向にさらに持ち上げて、黒抜き矢印の方向に開くように剥離部５ａをＰＦテープ３から剥離させる。
【００５６】
次いで、図７（ａ）に示すように、ピッキングテープ１の他方側端部１ａを白抜き矢印の方向に下ろすとともに、斜線入り矢印方向に指等を押し付けて、剥離部対応部３ａをライナーテープ１９の他方側端部１９ｂにしっかりと貼り付ける。このとき、剥離部対応部３ａと、両面テープ９の粘着面とが接触するおそれはあるが、瞬間的に接触するに過ぎないので、剥離部対応部３ａと両面テープ９の粘着面とが強く接着されることはない。
【００５７】
次いで、図７（ｂ）に示すように、ピッキングテープ１の他方側端部１ａを白抜き矢印の方向に再び持ち上げて、ライナーテープ１９の他方側端部１９ｂを両面テープ９から剥がす。そうして、図７（ｃ）に示すように、剥離部対応部３ａを略真っ直ぐに延ばすように、ピッキングテープ１の他方側端部１ａをさらに持ち上げて、ライナーテープ１９の他方側端部１９ｂを両面テープ９から大きく剥がすとともに、剥離部５ａを黒抜き矢印の方向に閉じさせる。
【００５８】
これにより、図８（ａ）に示すように、ＴＦテープ５が略真っ直ぐに延びて、ライナーテープ１９の他方側端部１９ｂがＴＦテープ５の一方側端部５ｂ（剥離部５ａ）とＰＦテープ３（剥離部対応部３ａ）との間に挟まれると、図８（ｂ）に示すように、ピッキングテープ１の他方側端部１ａを白抜き矢印の方向に下ろす。以上により、ライナーテープ１９へのピッキングテープ１の貼り付けが完了する。
【００５９】
−効果−
本実施形態によれば、ＴＦテープ５の一方側端部５ｂにおける粘着面には剥離部５ａが形成されていることから、ライナーテープ１９の他方側端部１９ｂを、ＴＦテープ５の一方側端部５ｂとＰＦテープ３との間に簡単に挟むことができる。
【００６０】
このように、ピッキングテープ１は、ライナーテープ１９の他方側端部１９ｂを、ＴＦテープ５の一方側端部５ｂとＰＦテープ３との間に挟んだ状態で、換言すると、ＰＦテープ３の粘着面を覆うＴＦテープ５を、ライナーテープ１９と両面テープ９との間に挟んだ状態で、ライナーテープ１９に貼り付けられることから、ＰＦテープ３の粘着面と両面テープ９の粘着面とが接触するのを確実に抑えることができる。
【００６１】
そうして、ピッキングテープ１の他方側端部１ａを持ち上げると、ＰＦテープ３の方が両面テープ９よりもライナーテープ１９との粘着性に優れていることと、ＴＦテープ５の非粘着面が両面テープ９の表面から容易に剥離可能であることとが相俟って、ライナーテープ１９を両面テープ９の表面から容易に剥がすことができる。
【００６２】
以上より、両面テープ９をドアガーニッシュ２９から剥がすことなく、簡単な構造で、ライナーテープ１９を両面テープ９から剥がすことが可能となる。
【００６３】
さらに、ピッキングテープ１をライナーテープ１９に貼り付ける際、作業者に対して常に手前側になるＰＦテープ３を透明又は半透明とするとともに、ＰＦテープ３の色とは異なる色の離型紙７を用いることにより、剥離部５ａの位置を容易に認識することができる。したがって、ピッキングテープ１をライナーテープ１９に貼り付ける際の作業性が向上する。
【００６４】
また、ライナーテープ１９を両面テープ９の表面から手で剥がすという煩雑な作業を行うことなく、ライナーテープ１９の他方側端部１９ｂにＰＦテープ３の一方側端部３ｂを貼り付けた状態から、ピッキングテープ１の他方側端部１ａを一旦持ち上げて（剥離部５ａを剥離部対応部３ａから剥離させ）、下ろし（剥離部対応部３ａをライナーテープ１９に貼り付け）、再び持ち上げる（ライナーテープ１９を剥離部５ａと剥離部対応部３ａとで挟む）という簡単な作業で、ピッキングテープ１をライナーテープ１９の他方側端部１９ｂに取り付けることができる。したがって、ピッキングテープ１をライナーテープ１９に貼り付ける際の作業性をより一層向上させることができる。
【００６５】
（変形例１）
変形例１は、剥離部５ａの構成が実施形態１と異なるものである。以下、実施形態１と異なる点について図９を用いて説明する。
【００６６】
本変形例では、上記離型紙７を用いることなく、図９に示すように、ＴＦテープ５の一方側端部５ｂを折り曲げて、当該ＴＦテープ５の粘着面同士を貼り付けることにより、剥離部５ａが形成されている。これにより、ＴＦテープ５を折り曲げて、その粘着面同士を貼り付けるだけで、剥離部５ａを容易に形成することができる。また、ＴＦテープ５としてＰＦテープ３と厚さや材質等が異なるものを用いることなく、剥離部５ａを容易に厚くしてＰＦテープ３よりも曲がり難くすることができる。
【００６７】
さらに、ＴＦテープ５のポリエチレンフィルム１５の色を、ＰＦテープ３のポリエチレンフィルム１３の色とは異なる色にすれば、剥離部５ａの位置を容易に認識することができる。
【００６８】
（変形例２）
変形例２は、剥離部５ａの構成が実施形態１及び変形例１と異なるものである。以下、実施形態１及び変形例１と異なる点について図１０を用いて説明する。
【００６９】
本変形例では、剥離部５ａは、図１０に示すように、ＴＦテープ５の一方側端部５ｂにおける粘着面に、粘着剤２５を塗布しない部位を設けることにより形成されている。換言すると、本変形例では、ＴＦテープ５として、ポリエチレンフィルム１５にポリエチレン系粘着剤２５が半分（中央よりも長手方向他方側に）しか塗布されていないものを用いることにより、剥離部５ａが形成されている。なお、ポリエチレン系粘着剤２５が半分しか塗布されていないＴＦテープ５は、例えば、ポリエチレンフィルム１５の表面のうち、粘着剤２５の塗布が予定される部位については、粘着剤２５が接着しやすいように通常通り活性化処理を施す一方、粘着剤２５の塗布を予定しない部位については、活性化処理を施さないことにより、容易に形成することができる。
【００７０】
これにより、ピッキングテープ１を製造する際、離型紙７を用いたり、ＴＦテープ５を折り曲げたりする必要がないので、ピッキングテープ１をより一層容易に製造することができる。
【００７１】
なお、ポリエチレンフィルム１３よりも厚さの厚いポリエチレンフィルム１５を用いることにより、剥離部５ａをＰＦテープ３よりも曲がり難くすることが可能である。また、ＴＦテープ５のポリエチレンフィルム１５の色を、ＰＦテープ３のポリエチレンフィルム１３の色とは異なる色にすれば、剥離部５ａの位置を容易に認識することができる。
【００７２】
（実施形態２）
本実施形態は、第１テープとしてジョイントフィルムテープ３３を用いる点が実施形態１と異なるものである。以下、実施形態１と異なる点について図１、図１１及び図１２を用いて説明する。
【００７３】
上記図１に示すように、本実施形態に係るジョイントテープ（剥がし用テープ）１１は、ピッキングテープ１とは異なり、複数の両面テープ９が互いに離間して略直線状にドアガーニッシュ２９に貼り付けられているような場合に、相隣接する一方の両面テープ９のライナーテープ１９に貼り付けられるとともに、相隣接する他方の両面テープ９のライナーテープ１９にも貼り付けられるようになっている。
【００７４】
このジョイントテープ１１は、透明又は半透明な略帯状のポリエチレンフィルム４３と、これに塗布されたポリエチレン系粘着剤５３からなるジョイントフィルムテープ（第１テープ）（以下、ＪＦテープという）３３と、上記ＴＦテープ５と、上記離型紙７とを備えている。そうして、互いに離間して略直線状に並んだライナーテープ１９に跨って、ジョイントテープ１１を貼り付けることができるように、図１１に示す如く、ＪＦテープ３３の長手方向他方端は、ＴＦテープ５の長手方向他方端よりも長手方向他方側に突出している。なお、ジョイントテープ１１は、ＪＦテープ３３がＴＦテープ５よりも長手方向他方側に突出していること以外は、ピッキングテープ１と同様の構造なので、上記実施形態１で説明した製造方法と同様の方法で製造することが可能であるし、また、上記実施形態１で説明した貼付方法と同様の方法でライナーテープ１９の他方側端部１９ｂに貼り付けることができる。
【００７５】
このジョイントテープ１１を用いて、互いに離間して略直線状に並んだ複数の両面テープ９からライナーテープ１９を剥がす場合には、図１２（ａ）に示すように、図の左端の両面テープ９のライナーテープ１９の他方側端部１９ｂにピッキングテープ１を貼り付ける一方、このライナーテープ１９の一方側端部１９ａにジョイントテープ１１の他方側端部１１ａを貼り付けるとともに、図の左から２番目の両面テープ９のライナーテープ１９の他方側端部１９ｂにジョイントテープ１１の他方側端部３３ｂを貼り付ける。この際、ライナーテープ１９の他方側端部１９ｂは、ＪＦテープ３３（剥離部対応部３３ａ）と離型紙７（剥離部５ａ）との間に挟まれている。
【００７６】
そうして、ピッキングテープ１の他方側端部１ａを掴んで、図１２（ｂ）に示すように、これを長手方向他方側から一方側に向かって起こすように引っ張れば、両面テープ９をドアガーニッシュ２９から剥がすことなく、複数のライナーテープ１９を両面テープ９の表面から一気に剥がすことが可能となる。
【００７７】
なお、ジョイントテープ１１をライナーテープ１９の一方側端部１９ａに貼り付けると、図１３（ａ）のＡ部において、ＪＦテープ３３の粘着面と、両面テープ９の粘着面とが接触し、これらが強く接着されるおそれがあるが、ジョイントテープ１１を長手方向他方側から一方側に向かって剥がす場合には、両面テープ９をドアガーニッシュ２９から剥がす方向には力が作用しないので、両面テープ９自体がドアガーニッシュ２９から剥がれることはない。
【００７８】
−効果−
本実施形態によれば、例えば複数の両面テープ９が互いに離間して略直線状にドアガーニッシュ２９に貼り付けられているような場合、相隣接する一方の両面テープ９におけるライナーテープ１９の他方側端部１９ｂに、ＪＦテープ３３の一方側端部３３ｂを貼り付けるとともに、相隣接する他方の両面テープ９におけるライナーテープ１９の一方側端部１９ａに、ＪＦテープ３３の他方側端部１１ａを貼り付けることが可能となる。これにより、他方の両面テープ９のライナーテープ１９を、一方側から他方側に向けて剥がせば、一方の両面テープ９のライナーテープ１９も剥がすことができる。したがって、複数の両面テープ９からライナーテープ１９を一気に剥がすことが可能となるので、作業効率を大幅に向上させることができる。
【００７９】
（その他の実施形態）
本発明は、実施形態に限定されず、その精神又は主要な特徴から逸脱することなく他の色々な形で実施することができる。
【００８０】
上記各実施形態では、ＴＦテープ５の一方側端部５ｂにおける粘着面側に剥離部５ａを形成したが、これに限らず、ＰＦテープ３及びＪＦテープ３３における、ＴＦテープ５の一方側端部５ｂに対応する部位、の粘着面側に、剥離部５ａを形成してもよい。
【００８１】
また、上記実施形態１では、ＴＦテープ５の一方側端部５ｂにおける粘着面に、離型紙７を貼り付けることにより剥離部５ａを形成したが、これに限らず、例えば、ＴＦテープ５の一方側端部５ｂにおける粘着面に、小さく切断したＴＦテープ５を貼り付けることにより剥離部５ａを形成してもよい。
【００８２】
さらに、上記各実施形態では、直線状にドアガーニッシュ２９に貼り付けられた両面テープ９に、ピッキングテープ１及びジョイントテープ１１を適用したが、これに限らず、例えば、コの字状や矩形状に貼り付けられている両面テープ９にも、ピッキングテープ１及びジョイントテープ１１を適用することができる。
【００８３】
また、上記各実施形態では、両面テープ９が貼り付けられる基材としてドアガーニッシュ２９を用いたが、これに限らず、例えばプロテクター等の他の外装部品にも適用することができる。
【００８４】
さらに、上記各実施形態では、ピッキングテープ１及びジョイントテープ１１の幅を、両面テープ９の幅と同じ幅にしたが、これに限らず、ピッキングテープ１及びジョイントテープ１１の幅を、両面テープ９の幅と異なる幅にしてもよい。
【００８５】
また、上記各実施形態では、離型紙７をＴＦテープ５に貼り付けることによって、剥離部５ａをＰＦテープ３よりも曲がり難くしたが、ＴＦテープ５の硬さ（曲がり難さ）、又は、剥離部５ａを形成するための部材の硬さとＴＦテープ５の硬さとを合わせた硬さが、ＰＦテープ３の硬さを超えている限り、剥離部５ａをどのような構造にしてもよい。
【００８６】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８７】
以上説明したように、本発明は、両面テープの表面に貼り付けられている剥離ライナーを、当該両面テープから剥がすための剥がし用テープ等について有用である。
【符号の説明】
【００８８】
１      ピッキングテープ（剥がし用テープ）
１ａ    他方側端部（長手方向他方側の端部）
３      ピッキングフィルムテープ（第１テープ）
３ａ    剥離部対応部
３ｂ    一方側端部（長手方向一方側の端部）
５      タッキングフィルムテープ（第２テープ）
５ａ    剥離部
５ｂ    一方側端部（長手方向一方側の端部）
７      離型紙（剥離可能な部材）
９      両面テープ
１１    ジョイントテープ（剥がし用テープ）
１１ａ  他方側端部（長手方向他方側の端部）
１９    ライナーテープ（剥離ライナー）
１９ｂ  他方側端部（長手方向他方側の端部）
２３    粘着剤
２５    粘着剤
２９    ドアガーニッシュ（基材）
３３    ジョイントフィルムテープ（第１テープ）
３３ａ  剥離部対応部
３３ｂ  一方側端部（長手方向一方側の端部）
５３    粘着剤
【図１】
2012136591.tif 000003
【図２】
2012136591.tif 000004
【図３】
2012136591.tif 000005
【図４】
2012136591.tif 000006
【図５】
2012136591.tif 000007
【図６】
2012136591.tif 000008
【図７】
2012136591.tif 000009
【図８】
2012136591.tif 000010
【図９】
2012136591.tif 000011
【図１０】
2012136591.tif 000012
【図１１】
2012136591.tif 000013
【図１２】
2012136591.tif 000014
【図１３】
2012136591.tif 000015